(57)【要約】【課題】  左右腕部の前側や左右脚部の前側も十分に防寒することができて、しかも安価でかつ容易に製造することができるライダー用防寒衣料を提供する。【解決手段】  上衣３の前身頃９の裏面を覆う前身頃覆い部１９と、上衣３の左右の袖部１１の前側裏面をそれぞれ覆う左右一対の袖覆い部２０と、ズボン４の左右の脚部１３の前側裏面をそれぞれ覆う左右一対の脚覆い部２１とを有する気泡保温シート５が設けられている。また、前記気泡保温シート５は、その外周部に配置したファスナーを介して上衣３及びズボン４の裏面に着脱自在に固着されている。【選択図】図１
0003183251.tif 000002
【実用新案登録請求の範囲】
【請求項１】
上衣（３）とズボン（４）とを備えるライダー用防寒衣料であって、
上衣（３）の前身頃（９）の裏面を覆う前身頃覆い部（１９）と、上衣（３）の左右の袖部（１１）の前側裏面をそれぞれ覆う左右一対の袖覆い部（２０）と、ズボン（４）の左右の脚部（１３）の前側裏面をそれぞれ覆う左右一対の脚覆い部（２１）とを有する気泡保温シート（５）が設けられていることを特徴とするライダー用防寒衣料。
【請求項２】
前記気泡保温シート（５）は、その外周部に配置したファスナーを介して上衣（３）及びズボン（４）の裏面に着脱自在に固着されていることを特徴とする請求項1に記載のライダー用防寒衣料。
【請求項３】
前記上衣（３）とズボン（４）とが撥水性のある薄手生地によりそれぞれ別体に構成されており、
前記気泡保温シート（５）は、前身頃覆い部（１９）と左右の袖覆い部（２０）とを一体に有する第１シート体（２３）と、左右の脚覆い部（２１）をそれぞれ有する左右一対の第２シート体（２４）とを別体に備え、
前記ファスナーは、面ファスナー（２７）又は再使用可能な接着片により構成され、第１シート体（２３）と左右の第２シート体（２４）との外周部に沿って互いに間隔をおいて複数個ずつ設けられていることを特徴とする請求項２に記載のライダー用防寒衣料。
【請求項４】
前記上衣（３）とズボン（４）とが撥水性のある薄手生地により一体に構成されており、
前記気泡保温シート（５）は、前身頃覆い部（１９）と左右の袖覆い部（２０）と左右の脚覆い部（２１）とを一体に有する１枚のシートで構成され、
前記ファスナーは、面ファスナー（２７）又は再使用可能な接着片により構成され、気泡保温シート（５）の外周部に沿って互いに間隔をおいて複数個設けられていることを特徴とする請求項２に記載のライダー用防寒衣料。
【請求項５】
前記気泡保温シート（５）は、上衣（３）及びズボン（４）の前側裏面に形成したポケット（３１）に出し入れ可能に収納保持されていることを特徴とする請求項1に記載のライダー用防寒衣料。
【請求項６】
前記上衣（３）とズボン（４）とが撥水性のある薄手生地によりそれぞれ別体に構成されており、
前記気泡保温シート（５）は、前身頃覆い部（１９）と左右の袖覆い部（２０）とを一体に有する第１シート体（２３）と、左右の脚覆い部（２１）をそれぞれ有する左右一対の第２シート体（２４）とを別体に備え、
前記ポケット（３１）は、前身頃（９）の裏面と左右の袖部（１１）の前側裏面とに亘って一体に形成した第１ポケット体（３３）と、左右の脚部（１３）の前側裏面に形成した左右一対の第２ポケット体（３４）とを別体に備え、
前記第１シート体（２３）は第１ポケット体（３３）に出し入れ可能に収納保持され、前記左右の第２シート体（２４）は左右の第２ポケット体（３４）にそれぞれ出し入れ可能に収納保持されていることを特徴とする請求項５に記載のライダー用防寒衣料。
【請求項７】
前記上衣（３）とズボン（４）とが撥水性のある薄手生地により一体に構成されており、
前記気泡保温シート（５）は、前身頃覆い部（１９）と左右の袖覆い部（２０）と左右の脚覆い部（２１）とを一体に有する１枚のシートで構成され、
前記ポケット（３１）は、前身頃（９）の裏面と左右の袖部（１１）の前側裏面と左右の脚部（１３）の前側裏面とに亘って１つ形成されていることを特徴とする請求項５に記載のライダー用防寒衣料。
【請求項８】
前記気泡保温シート（５）に加えて、上衣（３）の後身頃（１０）の裏面、上衣（３）の左右の袖部（１１）の後側裏面又はズボン（４）の左右の脚部（１３）の後側裏面を覆う気泡保温シートが別途設けられていることを特徴とする請求項１〜７のいずれかに記載のライダー用防寒衣料。
【考案の詳細な説明】
【技術分野】
【０００１】
本考案は、バイク等のライダーが寒冷時に着用するためのライダー用防寒衣料に関するものである。
【背景技術】
【０００２】
気泡保温シートは、気泡によって蓄熱することができて優れたクッション性や保温性を発揮することができ、また、梱包材として使用されていてプチプチ（登録商標）として広く普及しており、経済性にも優れている。
従って、気泡保温シートを利用して防寒衣料を作れば効果的に防寒することができて安価に製造することが可能であると考えられる。
そこで、従来の気泡保温シートを使用した防寒衣料には、防寒服の裏面にポケットを設け、このポケット内に気泡保温シートを収納して面ファスナーで固定し、防寒服を着用したときに、身体の胸部や腹部などの体肝部分の前面を覆うようにしたものがある（例えば特許文献１）。
また、他の従来の気泡保温シートを使用した防寒衣料には、方形状の布材の中央部に頭部を通す衿穴を設けて、布材の衿穴の両側に胸当部と背当部とを形成し、これら胸当部と背当部との外面側にそれぞれポケットを設け、各ポケットに気泡保温シートを着脱自在に収納保持すると共に、着用した際に胸当部と背当部との左右側縁部を面ファスナーで着脱自在に連結するようにした簡易防寒ベストがある（例えば特許文献２）。
【先行技術文献】
【特許文献】
【０００３】
【特許文献１】特開２０００−３２８３２３号公報
【特許文献２】実用新案登録第３１６８９７８号公報
【考案の概要】
【考案が解決しようとする課題】
【０００４】
しかし、従来のものでは、バイク等のライダー用防寒衣料として着用した場合、身体の胸部や腹部等の体肝部分を有効に保温することができるが、ライダー用防寒衣料では前方から強い風を受けるため、胸部や腹部の前側を防寒すると共に左右腕部の前側や左右脚部の前側を防寒する必要があるにも拘わらず、左右腕部の前側や左右脚部の前側を十分に防寒することができないという問題があった。
本考案は上記問題点に鑑み、左右腕部の前側や左右脚部の前側も十分に防寒することができて、しかも安価でかつ容易に製造することができるライダー用防寒衣料を提供することを目的とする。
【課題を解決するための手段】
【０００５】
本考案における課題解決のための具体的手段は、次の通りである。
この技術的課題を解決する本考案の技術的手段は、上衣３とズボン４とを備えるライダー用防寒衣料であって、
上衣３の前身頃９の裏面を覆う前身頃覆い部１９と、上衣３の左右の袖部１１の前側裏面をそれぞれ覆う左右一対の袖覆い部２０と、ズボン４の左右の脚部１３の前側裏面をそれぞれ覆う左右一対の脚覆い部２１とを有する気泡保温シート５が設けられている点にある。
また、本考案の他の技術的手段は、前記気泡保温シート５は、その外周部に配置したファスナーを介して上衣３及びズボン４の裏面に着脱自在に固着されている点にある。
また、本考案の他の技術的手段は、前記上衣３とズボン４とが撥水性のある薄手生地によりそれぞれ別体に構成されており、
前記気泡保温シート５は、前身頃覆い部１９と左右の袖覆い部２０とを一体に有する第１シート体２３と、左右の脚覆い部２１をそれぞれ有する左右一対の第２シート体２４とを別体に備え、
前記ファスナーは、面ファスナー２７又は再使用可能な接着片により構成され、第１シート体２３と左右の第２シート体２４との外周部に沿って互いに間隔をおいて複数個ずつ設けられている点にある。
また、本考案の他の技術的手段は、前記上衣３とズボン４とが撥水性のある薄手生地により一体に構成されており、
前記気泡保温シート５は、前身頃覆い部１９と左右の袖覆い部２０と左右の脚覆い部２１とを一体に有する１枚のシートで構成され、
前記ファスナーは、面ファスナー２７又は再使用可能な接着片により構成され、気泡保温シート５の外周部に沿って互いに間隔をおいて複数個設けられている点にある。
また、本考案の他の技術的手段は、前記気泡保温シート５は、上衣３及びズボン４の前側裏面に形成したポケット３１に出し入れ可能に収納保持されている点にある。
また、本考案の他の技術的手段は、前記上衣３とズボン４とが撥水性のある薄手生地によりそれぞれ別体に構成されており、
前記気泡保温シート５は、前身頃覆い部１９と左右の袖覆い部２０とを一体に有する第１シート体２３と、左右の脚覆い部２１をそれぞれ有する左右一対の第２シート体２４とを別体に備え、
前記ポケット３１は、前身頃９の裏面と左右の袖部１１の前側裏面とに亘って一体に形成した第１ポケット体３３と、左右の脚部１３の前側裏面に形成した左右一対の第２ポケット体３４とを別体に備え、
前記第１シート体２３は第１ポケット体３３に出し入れ可能に収納保持され、前記左右の第２シート体２４は左右の第２ポケット体３４にそれぞれ出し入れ可能に収納保持されている点にある。
また、本考案の他の技術的手段は、前記上衣３とズボン４とが撥水性のある薄手生地により一体に構成されており、
前記気泡保温シート５は、前身頃覆い部１９と左右の袖覆い部２０と左右の脚覆い部２１とを一体に有する１枚のシートで構成され、
前記ポケット３１は、前身頃９の裏面と左右の袖部１１の前側裏面と左右の脚部１３の前側裏面とに亘って１つ形成されている点にある。
また、本考案の他の技術的手段は、前記気泡保温シート５に加えて、上衣３の後身頃１０の裏面、上衣３の左右の袖部１１の後側裏面又はズボン４の左右の脚部１３の後側裏面を覆う気泡保温シートが別途設けられている点にある。
【考案の効果】
【０００６】
請求項１によれば、気泡保温シートで上衣の前身頃の裏面を覆う他に、上衣の左右の袖部の前側裏面及びズボンの左右の脚部の前側裏面も覆うことができるため、身体の胸部や腹部等の体肝部分を有効に保温することができるだけでなく、左右腕部の前側や左右脚部の前側を有効に保温することができ、ライダー用防寒衣料を着用することにより前方から強い風を受けても、左右腕部の前側や左右脚部の前側を十分に防寒することができる。
また、気泡保温シートは安価で優れた保温性、クッション性及び柔軟性を有するため、上衣及びズボンを薄手の生地で形成することが可能になり、ライダー用防寒衣料を安価でかつ容易に製造することができる。
請求項２によれば、気泡保温シートを上衣及びズボンに取り付ける場合には、上衣及びズボンを裏返してその前側（前身頃側）を上にして作業台等に載置した後、気泡保温シートを上衣及びズボンに上から被せてその外周部をファスナーで固着すればよく、気泡保温シートを上衣及びズボンに簡単に取り付けることができる。
また、気泡保温シートはファスナーを介して上衣及びズボンの裏面に着脱自在に固着されているので、ライダー用防寒衣料を洗濯する場合には、上衣及びズボンから気泡保温シートを簡単に取り外して、上衣及びズボンのみを洗濯機等を使用して簡単に洗濯できるし、また、気泡保温シートのみを取り出して洗濯することもでき、洗濯にも非常に便利である。
さらに、気泡保温シートの外周部に配置したファスナーにより気泡保温シートを上衣及びズボンの裏面に対してその外周部が大きく捲れ上がらないように簡単かつ良好に固着することができる。
請求項３によれば、上衣とズボンとが分離したセパレートタイプのライダー用防寒衣料について、前身頃の裏面から左右の袖部の前側裏面に亘って連続一体的に気泡保温シートで覆うことができて、前身頃と袖部との境界部分の前側裏面も切れ目なく覆うことができるため、気泡保温シートで上衣の前側裏面の主要部分を略全域に亘って覆ってライダーの前側を効果的に防寒することができる。
また、前記ファスナーは、面ファスナー又は再使用可能な接着片により構成され、気泡保温シートの外周部に沿って互いに間隔をおいて複数個設けられているので、極力少ない量の面ファスナー又は再使用可能な接着片を使用して気泡保温シートを上衣及びズボンの裏面に対してその外周部が大きく捲れ上がらないように確実かつ良好に固着することができるし、面ファスナー又は再使用可能な接着片は汎用品としてそれ自体安価であるし、熱溶着、熱圧着又は縫着により衣服等に安価かつ良好に固着できるから、この点からもセパレートタイプのライダー用防寒衣料を安価かつ容易に製造することができるようになる。
請求項４によれば、上衣とズボンとが一体になったつなぎタイプのライダー用防寒衣料について、前身頃の裏面から左右の袖部の前側裏面及び左右の脚部の前側裏面に亘って連続一体的に気泡保温シートで覆うことができて、前身頃と左右の袖部との境界部分や前身頃と左右の脚部との境界部分の前側裏面も切れ目なく覆うことができるため、気泡保温シートで上衣及びズボンの前側裏面の主要部分を略全域に亘って覆ってライダーの前側を極めて効果的に防寒することができる。
請求項5によれば、気泡保温シートを上衣及びズボンに装着する場合には、気泡保温シートをポケットに入れて収納保持すればよく、気泡保温シートを上衣及びズボンに簡単に装着することができる。
また、ライダー用防寒衣料を洗濯する場合には、ポケットから気泡保温シートを取り出して、上衣及びズボンのみを洗濯機等を使用して簡単に洗濯できるし、また、気泡保温シートのみを取り出して洗濯することもでき、洗濯にも非常に便利である。
請求項６によれば、請求項３の場合と同様に、上衣とズボンとが分離したセパレートタイプのライダー用防寒衣料について、前身頃の裏面から左右の袖部の前側裏面に亘って連続一体的に気泡保温シートで覆うことができて、前身頃と袖部との境界部分の前側裏面も切れ目なく覆うことができるため、気泡保温シートで上衣の前側裏面の主要部分を略全域に亘って覆ってライダーの前側を効果的に防寒することができる。
また、第１シート体を第１ポケット体に出し入れすることによって、気泡保温シートの一部の第１シート体を上衣に簡単に装着したり、上衣から簡単に取り外したりすることができるし、第２シート体を左右の第２ポケット体にそれぞれ出し入れすることによって、気泡保温シートの一部の第２シート体を簡単にズボンに装着したり、ズボンから簡単に取り外したりすることができ、便利である。
請求項７によれば、請求項４の場合と同様に、上衣とズボンとが一体になったつなぎタイプのライダー用防寒衣料について、前身頃の裏面から左右の袖部の前側裏面及び左右の脚部の前側裏面に亘って連続一体的に気泡保温シートで覆うことができて、前身頃と左右の袖部との境界部分や前身頃と左右の脚部との境界部分の前側裏面も切れ目なく覆うことができるため、気泡保温シートで上衣及びズボンの前側裏面の主要部分を略全域に亘って覆ってライダーの前側を極めて効果的に防寒することができる。
また、気泡保温シートをポケットに出し入れすることによって、気泡保温シート全体を上衣及びズボンに簡単に装着したり、上衣及びズボンから簡単に取り外したりすることができ、便利である。
請求項８によれば、気泡保温シートによって身体の胸部や腹部や左右腕部の前側や左右脚部の前側を有効に保温することに加えて、別途設けた気泡保温シートで、身体の背中や左右腕部の後側や左右脚部の後側等も有効に保温することができ、身体の前面側から背面側にわたってより一層確実に防寒できるようになる。
【図面の簡単な説明】
【０００７】
【図１】本考案の第１実施形態を示すライダー用防寒衣料を裏返して前後に扁平にした状態の正面図である。
【図２】同ライダー用防寒衣料の拡大平面断面図である。
【図３】第２実施形態を示すライダー用防寒衣料を裏返して前後に扁平にした状態の正面図である。
【図４】第３実施形態を示すライダー用防寒衣料を裏返して前後に扁平にした状態の正面図である。
【図５】第４実施形態を示すライダー用防寒衣料を裏返して前後に扁平にした状態の正面図である。
【図６】第５実施形態を示すライダー用防寒衣料を裏返して前後に扁平にした状態の正面図である。
【図７】第６実施形態を示すライダー用防寒衣料を裏返して前後に扁平にした状態の正面図である。
【考案を実施するための形態】
【０００８】
以下、本考案の実施の形態を図面に基づいて説明する。
図１及び図２は本考案の第１実施形態を示している。図１及び図２において、バイク等のライダー用防寒衣料１は、セパレートタイプの防寒衣料であり、上衣３とズボン４とを別体に備えると共に、上衣３及びズボン４の前側裏面に配置される気泡保温シート５を上衣３及びズボン４とは別体に備えている。
上衣３は、ヤッケ等に使用される撥水性のある薄手生地により構成され、フード８と前身頃９と後身頃１０と左右の袖部１１とを一体に有している。
ズボン４は、上衣３と同様に撥水性のある薄手生地により構成され、左右の脚部１３を一体に有している。
気泡保温シート５は、一般に「プチプチ」と呼ばれている周知のビニルシート（たとえば川上産業株式会社製、登録商標「プチプチ」）と同様のものであって、図２に示すように、バックフィルム１５と、多数の突起の形成されたキャップフィルム１６とからなり、バックフィルム１５とキャップフィルム１６とが接合されることにより、突起内に気泡１７を有している。この気泡１７によって蓄熱することができ、気泡保温シート５は、非常に軽量でクッション性と保温性と柔軟性とに優れ、耐水、防湿性についても優れた機能を発揮する。また、気泡保温シート５は、梱包材として使用されていてプチプチ（登録商標）として広く普及しており、経済性にも優れている。
また、気泡保温シート５を構成するバックフィルム１５及びキャップフィルム１６の材料は、通常、ポリエチレンやポリプロピレンであり、上記の材料の種類や配合などを変更することにより、気泡保温シート５の柔軟性、保温性などを任意に調整することができる。
前記気泡保温シート５は、上衣３の前身頃９の裏面を覆う前身頃覆い部１９と、上衣３の左右の袖部１１の前側裏面をそれぞれ覆う左右一対の袖覆い部２０と、ズボン４の左右の脚部１３の前側裏面をそれぞれ覆う左右一対の脚覆い部２１とを有している。
即ち、気泡保温シート５は、上衣３の前側裏面に着脱自在に取り付けられる第１シート体２３と、ズボン４の前側裏面に着脱自在に取り付けられる左右一対の第２シート体２４とを別体に備え、第１シート体２３は前身頃覆い部１９と左右の袖覆い部２０とを一体に有し、左右の第２シート体２４は脚覆い部２１をそれぞれ有してなる。脚覆い部２１（第２シート体２４）の膝に対応する部分２１ａは、丈夫でクッション性、柔軟性の高い構造又は材料で形成されていて、丈夫で屈曲し易くなっている。
気泡保温シート５の外周部、即ち、第１シート体２３の外周部と左右の第２シート体２４の外周部とに面ファスナー２７が配置され、この面ファスナー２７を介して気泡保温シート５が上衣３及びズボン４の裏面に着脱自在に固着されている。
前記面ファスナー２７は、図２に示すように、雄タイプと雌タイプとに分かれて互いに接着自在に接着される第１ファスナー体２７ａと第２ファスナー体２７ｂとを有してなり、第１ファスナー体２７ａが気泡保温シート５の外周部に熱融着、熱圧着又は縫着等により固着され、この第１ファスナー体２７ａに対応する位置に第２ファスナー体２７ｂが上衣３及びズボン４の裏面に熱融着、熱圧着又は縫着等により固着されている。
従って、面ファスナー２７が第１シート体２３と左右の第２シート体２４との外周部に沿って互いに間隔をおいて複数個ずつ設けられており、第１シート体２３が複数の面ファスナー２７を介して上衣３の前側裏面に着脱自在に固着され、左右の第２シート体２４が外周部の複数の面ファスナー２７を介してズボン４の前側裏面に着脱自在に固着されている。
上記第１実施形態によれば、上衣３及びズボン４に気泡保温シート５を取り付ける場合、上衣３及びズボン４を裏返してその前側（前身頃９側）を上にして作業台等に載置した後、気泡保温シート５の第１シート体２３を上衣３に上から被せて第１シート体２３の外周部を複数の面ファスナー２７で固着し、気泡保温シート５の左右の第２シート体２４をズボン４の左右脚部１３にそれぞれ上から被せて第２シート体２４の外周部を複数の面ファスナー２７で固着すればよい。
また、ライダー用防寒衣料１を着用する場合は、上記の如く第１シート体２３を取り付けた上衣３及び第２シート体２４を取り付けたズボン４を再び裏返（リバース）して着用すればよい。この場合、気泡保温シート５で上衣３の前身頃９の裏面を覆う他に、上衣３の左右の袖部１１の前側裏面及びズボン４の左右の脚部１３の前側裏面も覆うことができるため、身体の胸部や腹部等の体肝部分を有効に保温することができるだけでなく、左右腕部の前側や左右脚部の前側を有効に保温することができ、ライダー用防寒衣料１を着用することにより前方から強い風を受けても、左右腕部の前側や左右脚部の前側を十分に防寒することができる。
また、気泡保温シート５は安価で優れた保温性、クッション性及び柔軟性を有するため、上衣３及びズボン４を薄手の生地で形成することが可能になり、ライダー用防寒衣料１を安価でかつ容易に製造することができる。
また、気泡保温シート５は面ファスナー２７を介して上衣３及びズボン４の裏面に着脱自在に固着されているので、ライダー用防寒衣料１を洗濯する場合には、上衣３及びズボン４から気泡保温シート５を簡単に取り外して、上衣３及びズボン４のみを洗濯機等を使用して簡単に洗濯できるし、また、気泡保温シート５のみを取り出して洗濯することもでき、洗濯にも非常に便利である。
また、本第１実施形態では、上衣３とズボン４とが分離したセパレートタイプのライダー用防寒衣料１について、前身頃９の裏面から左右の袖部１１の前側裏面に亘って連続一体的に気泡保温シート５で覆うことができて、前身頃９と袖部１１との境界部分の前側裏面も切れ目なく覆うことができるため、気泡保温シート５で上衣３の前側裏面の主要部分を略全域に亘って覆ってライダーの前側を効果的に防寒することができる。
また、面ファスナー２７が気泡保温シート５の外周部に沿って互いに間隔をおいて複数個設けられているので、極力少ない量の面ファスナー２７を使用して気泡保温シート５を上衣３及びズボン４の裏面に対してその外周部が大きく捲れ上がらないように確実かつ良好に固着することができるし、面ファスナー２７は汎用品としてそれ自体安価であるし、熱溶着、熱圧着又は縫着により衣服等に安価かつ良好に固着できるから、この点からもセパレートタイプのライダー用防寒衣料１を安価かつ容易に製造することができるようになる。
なお、前記第１実施形態の場合、気泡保温シート５を上衣３及びズボン４の裏面に着脱自在に固着するファスナーとして面ファスナー２７を外周部に配置しているが、これに代え、再使用可能な接着片を第１シート体２３と左右の第２シート体２４との外周部に沿って互いに間隔をおいて複数個ずつ設け、第１シート体２３を複数の接着片を介して上衣３の前側裏面に着脱自在に固着し、左右の第２シート体２４を外周部の複数の接着片を介してズボン４の前側裏面に着脱自在に固着するようにしてもよい。
図３は第２実施形態を示し、バイク等のライダー用防寒衣料１は、つなぎタイプの防寒衣料とされ、上衣３とズボン４とがヤッケ等に使用される撥水性のある薄手生地により一体に構成され、フード８と前身頃９と後身頃１０と左右の袖部１１と左右の脚部１３とを一体に有している。また、気泡保温シート５は、前身頃覆い部１９と左右の袖覆い部２０と左右の脚覆い部２１とを一体に有する１枚のシートで構成されている。
面ファスナー２７が気泡保温シート５の外周部に沿って互いに間隔をおいて複数個設けられており、気泡保温シート５はその外周部に配置した複数の面ファスナー２７を介して上衣３及びズボン４に着脱自在に固着されている。その他の点は前記第１実施形態の場合と同様の構成である。
上記第２実施形態では、上衣３とズボン４とが一体になったつなぎタイプのライダー用防寒衣料１について、前身頃９の裏面から左右の袖部１１の前側裏面及び左右の脚部１３の前側裏面に亘って連続一体的に気泡保温シート５で覆うことができて、前身頃９と左右の袖部１１との境界部分や前身頃９と左右の脚部１３との境界部分の前側裏面も切れ目なく覆うことができるため、気泡保温シート５で上衣３及びズボン４の前側裏面の主要部分を略全域に亘って覆ってライダーの前側を極めて効果的に防寒することができる。
なお、前記第２実施形態の場合、気泡保温シート５を上衣３及びズボン４の裏面に着脱自在に固着するファスナーとして面ファスナー２７を外周部に配置しているが、これに代え、再使用可能な接着片を気泡保温シート５の外周部に沿って互いに間隔をおいて複数個設け、気泡保温シート５を複数の接着片を介して上衣３及びズボン４の前側裏面に着脱自在に固着するようにしてもよい。
図４は第３実施形態を示し、前記第１実施形態の場合と同様に、バイク等のライダー用防寒衣料１は、セパレートタイプの防寒衣料であり、上衣３とズボン４とを別体に備えると共に、上衣３及びズボン４の前側裏面に配置される気泡保温シート５を上衣３及びズボン４とは別体に備えている。気泡保温シート５は、前記第１実施形態の場合と同様に、前身頃覆い部１９と左右の袖覆い部２０とを一体に有する第１シート体２３と、左右の脚覆い部２１をそれぞれ有する左右一対の第２シート体２４とを別体に備えている。
そして、気泡保温シート５は、上衣３及びズボン４の前側裏面に形成したポケット３１に出し入れ可能に収納保持されている。
前記ポケット３１は、前身頃９の裏面と左右の袖部１１の前側裏面とに亘って一体に形成した第１ポケット体３３と、左右の脚部１３の前側裏面に形成した左右一対の第２ポケット体３４とを別体に備えている。
第１ポケット体３３は、前身頃９の裏面と左右の袖部１１の前側裏面とを覆う撥水性のある薄手生地等により構成され、その上部中央を除く外周部が上衣３の前側に縫着３６又は接着等により固着されて、上端開口３７を有すると共に上衣３の前側の略全面に亘る大きな袋状に形成されている。
左右の第２ポケット体３４は、脚部１３の前側裏面を覆う撥水性のある薄手生地等により構成され、その上部を除く外周部がズボン４の前側に縫着３６又は接着等により固着されて、上端開口３９を有する上下に長い袋状に形成されている。
前記第１シート体２３は第１ポケット体３３にその上端開口３７から出し入れ可能に収納保持されて、上衣３の前身頃９の裏面と左右の袖部１１の前側裏面とを連続一体的に覆っている。前記左右の第２シート体２４は左右の第２ポケット体３４にその上端開口３９からそれぞれ出し入れ可能に収納保持され、ズボン４の脚部１３の前側裏面を覆っている。
第１シート体２３の上部は面ファスナー、再使用可能な接着片、ホック等の複数のファスナー４１を介して第１ポケット体３３の上部内面に着脱自在に固着され、左右の第２シート体２４の上部は面ファスナー、再使用可能な接着片、ホック等の複数のファスナー４１を介して第２ポケット体３４の上部内面に着脱自在に固着されている。その他の点は第１実施形態の場合と同様の構成である。
上記第３実施形態によれば、第１シート体２３を第１ポケット体３３に出し入れすることによって、気泡保温シート５の一部の第１シート体２３を上衣３に簡単に装着したり、上衣３から簡単に取り外したりすることができるし、左右の第２シート体２４を左右の第２ポケット体３４にそれぞれ出し入れすることによって、気泡保温シート５の一部の第２シート体２４を簡単にズボン４に装着したりズボン４から簡単に取り外したりすることができ、便利である。
従って、気泡保温シート５を上衣３及びズボン４に装着する場合には、第１シート体２３及び左右の第２シート体２４を第１ポケット体３３又は左右の第２ポケット体３４に入れて収納保持すればよく、気泡保温シート５を上衣３及びズボン４に簡単に装着することができる。
また、ライダー用防寒衣料１を洗濯する場合には、第１ポケット体３３又は左右の第２ポケット体３４から第１シート体２３及び左右の第２シート体２４を取り出して、上衣３及びズボン４のみを洗濯機等を使用して簡単に洗濯できるし、また、気泡保温シート５のみを取り出して洗濯することもでき、洗濯にも非常に便利である。
また、第１実施形態の場合と同様に、気泡保温シート５で上衣３の前身頃９の裏面を覆う他に、上衣３の左右の袖部１１の前側裏面及びズボン４の左右の脚部１３の前側裏面も覆うことができるため、ライダー用防寒衣料１を着用することにより前方から強い風を受けても、左右腕部の前側や左右脚部の前側を十分に防寒することができるし、ライダー用防寒衣料１を安価でかつ容易に製造することができる。
図５は第４実施形態を示し、第２実施形態の場合と同様に、バイク等のライダー用防寒衣料１は、つなぎタイプの防寒衣料とされ、上衣３とズボン４とがヤッケ等に使用される撥水性のある薄手生地により一体に構成され、フード８と前身頃９と後身頃１０と左右の袖部１１と左右の脚部１３とを一体に有している。また、気泡保温シート５は、前身頃覆い部１９と左右の袖覆い部２０と左右の脚覆い部２１とを一体に有する１枚のシートで構成されている。
そして、前記気泡保温シート５は、上衣３及びズボン４の前側裏面に形成したポケット３１に出し入れ可能に収納保持されている。
前記ポケット３１は、前身頃９の裏面と左右の袖部１１の前側裏面と左右の脚部１３の前側裏面とに亘って一体に１つ形成されており、ポケット３１は、前身頃９の裏面と左右の袖部１１の前側裏面と左右の脚部１３の前側裏面を覆う撥水性のある薄手生地等により構成され、その上部中央を除く外周部が上衣３及びズボン４の前側に縫着３６または接着等により固着されて、上端開口４３を有すると共に上衣３及びズボン４の前側の略全面に亘る大きな袋状に形成されている。
前記気泡保温シート５は、ポケット３１の上端開口４３から出し入れ可能に収納保持されて、上衣３の前身頃９の裏面と左右の袖部１１の前側裏面とズボン４の左右の脚部１３の前側裏面とを連続一体的に覆っている。
気泡保温シート５の上部は面ファスナー、再使用可能な接着片、ホック等の複数のファスナー４１を介してポケット３１の上部内面に着脱自在に固着されている。その他の点は第２実施形態の場合と同様の構成である。
上記第４実施形態によれば、気泡保温シート５をポケット３１に出し入れすることによって、気泡保温シート５全体を上衣３及びズボン４に簡単に装着したり、上衣３及びズボン４から簡単に取り外したりすることができ、便利である。
従って、気泡保温シート５を上衣３及びズボン４に装着する場合には、気泡保温シート５をポケット３１に入れて収納保持すればよく、気泡保温シート５を上衣３及びズボン４に簡単に装着することができる。
また、ライダー用防寒衣料１を洗濯する場合には、ポケット３１から気泡保温シート５を取り出して、上衣３及びズボン４のみを洗濯機等を使用して簡単に洗濯できるし、また、気泡保温シート５のみを取り出して洗濯することもでき、洗濯にも非常に便利である。
また、第２実施形態の場合と同様に、上衣３とズボン４とが一体になったつなぎタイプのライダー用防寒衣料１について、前身頃９の裏面から左右の袖部１１の前側裏面及び左右の脚部１３の前側裏面に亘って連続一体的に気泡保温シート５で覆うことができて、前身頃９と左右の袖部１１との境界部分や前身頃９と左右の脚部１３との境界部分の前側裏面も切れ目なく覆うことができるため、気泡保温シート５で上衣３及びズボン４の前側裏面の主要部分を略全域に亘って覆ってライダーの前側を極めて効果的に防寒することができる。
図６は第５実施形態を示し、前記第１実施形態の場合と同様に、バイク等のライダー用防寒衣料１は、セパレートタイプの防寒衣料であり、上衣３とズボン４とを別体に備えると共に、上衣３及びズボン４の前側裏面に配置される気泡保温シート５を上衣３及びズボン４とは別体に備えている。気泡保温シート５は、前記第１実施形態の場合と同様に、前身頃覆い部１９と左右の袖覆い部２０とを一体に有する第１シート体２３と、左右の脚覆い部２１をそれぞれ有する左右一対の第２シート体２４とを別体に備えている。
そして、前記第１シート体２３はその外周部が縫着４５又は接着剤等による接着により取り外し不能に上衣３の前側裏面に取り付けられ、上衣３の前身頃９の裏面と左右の袖部１１の前側裏面とを連続一体的に覆っている。前記左右の第２シート体２４はその外周部が縫着４５又は接着剤等による接着により取り外し不能にズボン４の脚部１３の前側裏面に取り付けられ、ズボン４の脚部１３の前側裏面を覆っている。その他の点は前記第１実施形態の場合と同様の構成である。
従って、この第５実施形態の場合、第１シート体２３及び左右の第２シート体２４を上衣３又はズボン４から簡単に取り外すことができないが、ライダー用防寒衣料１を安価かつ容易に製造することができるため、ライダー用防寒衣料１を冬の間だけの１シーズンで使い捨てにするようにしても良い。
図７は第６実施形態を示し、第２実施形態の場合と同様に、バイク等のライダー用防寒衣料１は、つなぎタイプの防寒衣料とされ、上衣３とズボン４とがヤッケ等に使用される撥水性のある薄手生地により一体に構成され、フード８と前身頃９と後身頃１０と左右の袖部１１と左右の脚部１３とを一体に有している。また、気泡保温シート５は、前身頃覆い部１９と左右の袖覆い部２０と左右の脚覆い部２１とを一体に有する１枚のシートで構成されている。
そして、前記気泡保温シート５は、上衣３及びズボン４の前側裏面にその外周部が縫着４５又は接着剤等による接着により取り外し不能に上衣３及びズボン４の前側裏面に取り付けられ、上衣３の前身頃９の裏面と左右の袖部１１の前側裏面とズボン４の左右の脚部１３の前側裏面とを連続一体的に覆っている。その他の点は前記第２実施形態の場合と同様の構成である。
従って、この第６実施形態の場合、気泡保温シート５を上衣３及びズボン４から簡単に取り外すことができないが、ライダー用防寒衣料１を安価かつ容易に製造することができるため、ライダー用防寒衣料１を冬の間だけの１シーズンで使い捨てにするようにしても良い。
なお、前記第１実施形態及び第２実施形態では、気泡保温シート５を上衣３及びズボン４の裏面に着脱自在に固着するファスナーとして、面ファスナー２７又は再使用可能な接着片を使用しているが、これに代え、ホック又はスライドファスナーその他のファスナーを使用するようにしてもよい。ここで、ファスナーとは、衣類などに用いる留め手段のうち、何度でも着脱自在に留めることができるものであり、構造から、点、線、面のファスナーに大別される。
また、前記第１実施形態及び第２実施形態では、面ファスナー２７又は再使用可能な接着片を気泡保温シート５の外周部のみに配置しているが、これに代え、面ファスナー２７等のファスナーを気泡保温シート５の外周部に加えて中央部側にも配置するようにしてもよい。
また、前記実施形態では、上衣３及びズボン４は撥水性のある薄手生地により構成されているが、これに代え、上衣３及びズボン４を撥水性の小さい厚手の生地等によって構成するようにしてもよい。
また、前記実施形態では、気泡保温シート５で上衣３及びズボン４の前側裏面のみを覆うようにしているが、この気泡保温シート５に加えて、上衣３の後身頃１０の裏面、上衣３の左右の袖部１１の後側裏面又はズボン４の左右の脚部１３の後側裏面を覆う気泡保温シートを別途設けるようにしてもよい。
また、本考案のライダー用防寒衣料１は、バイクの他に自転車、競艇その他にも使用することができる。
【符号の説明】
【０００９】
１      ライダー用防寒衣料
３      上衣
４      ズボン
５      気泡保温シート
９      前身頃
１１    袖部
１９    前身頃覆い部
２０    袖覆い部
２１    脚覆い部
２３    第１シート体
２４    第２シート体
２７    面ファスナー
３１    ポケット
３３    第１ポケット体
３４    第２ポケット体
【図１】
0003183251.tif 000003
【図２】
0003183251.tif 000004
【図３】
0003183251.tif 000005
【図４】
0003183251.tif 000006
【図５】
0003183251.tif 000007
【図６】
0003183251.tif 000008
【図７】
0003183251.tif 000009